(57)【要約】      （修正有）【課題】歯山の破損を防止して耐用性を高めた吊りクランプにおけるジョーを提供する。【解決手段】平鋼板や形鋼などのワークをカムとジョー１９との間に挟んで吊り上げるように構成された吊りクランプにおいて、ジョーのワーク当接面に四角錐からなる綾目状のローレット歯１４が形成され、該ローレット歯の歯先が内周側より外周側の方が後退する凸球面状をなすように設けられる。【選択図】図２
0003179867.tif 000002
【実用新案登録請求の範囲】
【請求項１】
平鋼板や形鋼などのワークをカムとジョーとの間に挟んで吊り上げるように構成された吊りクランプにおいて、ジョーのワーク当接面に四角錐からなる綾目状のローレット歯が形成され、該ローレット歯の歯先が内周側より外周側の方が低い凸球面状をなすように設けられることを特徴とする吊りクランプのジョー。
【考案の詳細な説明】
【技術分野】
【０００１】
本考案は、平鋼板や形鋼などのワークをカムとジョーとの間に挟んで吊り上げるように構成された吊りクランプに関し、特にそのジョーの新規な形状に関する。
【背景技術】
【０００２】
平鋼板や形鋼などのワークを吊り上げるために用いられる各種の吊りクランプは、カムとジョー（受け金とも呼ばれる）で把持したワークの吊り荷重（負荷）が増えるに従いリンク機構による倍力作用とカム機構を通じて締付力が自動的に増加し、カムがワークに食い込んでワークを掴む構造を有している。このような構造の吊りクランプは周知である（たとえば下記特許文献１）。
【先行技術文献】
【特許文献】
【０００３】
【特許文献１】特開２００３−３２７３８５号公報
【０００４】
従来の吊りクランプにおけるジョーの表面には、カムとの間に挟むワークに対する把持力を高めるために、二山または三山からなる旋状の歯山が同心円状に形成されている。図５および図６には表面に旋条山Ａ，Ｂ，Ｃが設けられた従来のジョーの一例が示されている。旋条山Ａ，Ｂ，Ｃの断面は略三角形であり、歯頂点Ｄをセンターとして内側および外側の傾斜角θがいずれも４５度であり、したがって歯山角度は２θ＝９０度である。また、歯山Ａ，Ｂ，Ｃは同一平面Ｅ上にある。
【考案の開示】
【考案が解決しようとする課題】
【０００５】
しかしながら、このような従来のジョーを用いてワークをカムとの間に把持して吊り上げたときに、ワークに捩れや傾きが生ずると、ジョーの表面（歯山）に均一にワークが当接せず、特に最外周に位置する歯山に集中荷重が作用して破損する現象が頻繁に起こっている。また、歯山が連続しているため、一点に荷重が集中的に作用するとその部分だけでなくその周りにも破損が波及してしまい、結果として大きな破損が生ずることになっていた。
【０００６】
したがって、本考案の課題は、吊りクランプにおけるジョーの歯山の破損を防止して耐用性を高めることにある。
【課題を解決するための手段】
【０００７】
上記課題を解決するため、請求項１に係る本考案は、平鋼板や形鋼などのワークをカムとジョーとの間に挟んで吊り上げるように構成された吊りクランプにおいて、ジョーのワーク当接面に四角錐からなる綾目状のローレット歯が形成され、該ローレット歯の歯先が内周側より外周側の方が低い凸球面状をなすように設けられることを特徴とする吊りクランプのジョーである。
【考案の効果】
【０００８】
請求項１に係る本考案によれば、吊りクランプのジョーのワーク当接面に形成される歯が、従来の同心状に形成される旋条山ではなく、四角錐からなる綾目状のローレット歯として形成されている。四角錐からなる綾目状のローレット歯は一つ一つが独立しており、しかも各々の歯底面積が大きく形成されるので、ジョーとカムとの間にワークを挟んで把持したときに一部の歯に集中して荷重が作用することがなく、旋条山に比較して荷重の分散効果が大きい。さらに、該ローレット歯の歯先が内周側より外周側の方が後退する凸球面状をなすように設けられるので、ジョーとカムとの間にワークを挟んで把持したときに、まず内周側のローレット歯がワークに食い込んだ後に外周側のローレット歯が食い込むことになる。本考案によれば、これらの相乗効果により、破損可能性が高い外周側の歯山の破損を防止して耐用性を高めることができる。
【考案を実施するための最良の形態】
【０００９】
図１は、本考案が対象とする吊りクランプの一例として、特に平鋼板や形鋼などのワークの垂直面部分をその両側からクランプするに適した縦吊用クランプ１０を示す。このクランプ１０は、各々下方に延長する脚部１２および１３の間に略逆Ｕ字形の開口（ワーク挿入口）を備えたクランプ本体１１を有する。脚部１２には、リンクアーム２４の下端に連結されたカム２０がワーク挿入口に突出可能に設けられ、脚部１３にはジョー（旋回顎）１９がワーク挿入口に臨んで回転自在に設けられている。ワーク挿入口にワークＷを挿入した状態で吊環２３のクレーンのフックなどを挿入して吊り上げると、リンクアーム２４を介してカム２０がワーク挿入口に突出し、ジョー１９との間にワークＷを所定の締付力で把持する。
【００１０】
図２および図３はジョー１９の形状を示す。このジョー１９の表面（ワーク当接面）には正四角錐からなる綾目状のローレット歯１４が形成されている。該ワーク当接面の周縁部は所定角度の傾斜面１６となるように面取りされている。正四角錐からなる綾目状のローレット歯１４は一つ一つが独立しているので、従来の旋条山（図５，図６）のように一点に荷重が集中することなく複数のローレット歯１４に荷重を分散させることができ、しかも、一つの歯１４が破損してもそれが他の歯に波及することがない。
【００１１】
ジョー１９は回転自在に取り付けられており、図４（ａ）は各ローレット歯１４が正面視正方形状に見える状態で使用される場合を示し、図４（ｄ）は各ローレット歯１４が正面視菱形状に見える状態で使用される場合を示している。図４（ｄ）は図４（ａ）から４５度ジョー１９が回転した状態であり、図３（ａ）と同じ回転角度位置にあるジョー１９を示している。図４（ａ）の状態でローレット歯１４の頂点（歯先）に荷重が下向きに作用した場合、歯底の長さＸ１はローレット歯１４の正方形状底面の一辺の長さに等しい（図４（ｃ））が、図４（ｄ）の状態でローレット歯１４の頂点に荷重が下向きに作用した場合は、歯底の長さＸ２はローレット歯１４の正方形状底面の一辺の長さの１．４１４倍の長さとなり（Ｘ２＝Ｘ１×１．４１４）、破断に対する強度が大きく発揮され、破損しにくくなる。すなわち、ローレット歯１４の頂点（歯先）に荷重が下向きに作用した場合の歯底の長さＸは、ジョー１９の回転角度位置に応じてＸ１≦Ｘ≦Ｘ２の範囲で変化する。
【００１２】
また、従来のジョーではワーク当接面を平面にして該平面に歯先が同一高さとなるように歯が形成されている（図５，図６）が、このジョー１９では、ローレット歯１４の頂点（歯先）１５が半径Ｒの凸球面をなすように設けられている。言い換えれば、中心に最も近い位置のローレット歯１４ａがワークＷ方向に最も突出しており、外周に向かうにつれてローレット歯１４ｂが徐々に低くなり、最外周に位置するローレット歯１４ｃが最も低い（特に図３（ｂ）参照）。このようなローレット歯１４は、たとえば、ジョー１９の先端面（ワーク当接面）を所定半径（Ｒ）の凸球面状に形成した後に、この凸球面上にローレット歯１４を内周側から外周側に向けてまたはその逆に同心円の一列ずつ形成していけば良い。
【００１３】
このように内周側から外周側に向けて徐々に歯先１５が低くなるようにローレット歯１４を形成することにより、図１に示すようにワーク挿入口に挿入されてジョー１９とカム２０との間で把持されたワークＷに対して、最内周側のローレット歯１４ａが最初にワークＷに食い込み、徐々に外周側のローレット歯１４ｂが食い込んでいき、最後に最外周側のローレット歯１４ｃが食い込むことになる。このため、すべての歯山が同一平面上に形成されている従来技術によるジョー（図４，図５）においては最外周側の歯山に集中荷重が作用して破損しやすかったことを回避し、すべてのローレット歯１４に対して実質的に均等に荷重が作用するので、最外周側のローレット歯１４ｃの破損を防止し、耐用年数を向上させることができる。
【００１４】
以上において本考案を図示実施例に基づいて詳細に説明したが、本考案は図示実施例に限定されるものではなく、実用新案登録請求の範囲の記載から把握される考案の範囲内において種々の変形態様を取ることができる。たとえば、図示実施例ではジョー１９のセンターに、ジョー１９をクランプ１０の脚部１３に回動自在に取り付けるための取付穴１８が形成されているが、これは本考案の主題と直接関係するものではなく、適宜変更・変形・割愛することができる。ジョー１９の高さ（厚み）などの寸法は任意に設定し得るものであり、その形状も図示実施形態の形状に限定されることなく円筒形や段付き形状等任意に設定することができる。
【図面の簡単な説明】
【００１５】
【図１】本考案の実施例によるジョーが適用される一例としての縦吊用クランプの負荷状態図である。
【図２】本考案の一実施例によるジョーの斜視図である。
【図３】この実施例によるジョーの平面図（ａ）および側面図（ｂ）である。
【図４】この実施例のジョーの一回転角度位置における正面図（ａ）、一つのローレット歯の拡大正面図（ｂ）および拡大側面図（ｃ）ならびにこの回転角度位置から４５度回転した角度位置における正面図（ｄ）、一つのローレット歯の拡大正面図（ｅ）および拡大側面図（ｆ）である。
【図５】従来のジョー形状を示す平面図（ａ）および側面図（ｂ）である。
【図６】図５に示す従来のジョーの拡大断面図である。
【符号の説明】
【００１６】
１０ 縦吊用クランプ
１１ クランプ本体
１２，１３ 脚部
１４ 四角錐からなる綾目状のローレット歯
１５ ローレット歯の頂点（歯先）
１６ 周縁部の傾斜面
１８ 取付穴
１９ ジョー
２０ カム
２３ 吊環
２４ リンクアーム
【図１】
0003179867.tif 000003
【図２】
0003179867.tif 000004
【図３】
0003179867.tif 000005
【図４】
0003179867.tif 000006
【図５】
0003179867.tif 000007
【図６】
0003179867.tif 000008